(57)【要約】【課題】濾材の自動洗浄機能を備えた濾過装置であって、通常運転時と濾過槽の洗浄時とで循環ルートの変更がない濾過装置を提供する。【解決手段】第１の物理濾過槽１０と、生物濾過槽２０とを有する濾過装置であって、生物濾過槽２０は、濾材を自動洗浄する機能を有している。生物濾過槽２０には、生物濾過槽２０の処理後の水を受け取って物理濾過を行う第２の物理濾過槽１１０が接続され、生物濾過槽２０の通常濾過時も濾材洗浄時も常に処理後の水を物理濾過する。これにより、濾材の自動洗浄時に水の循環ルートを切り換える必要がない。【選択図】図１
2006026594.tif 000002
【特許請求の範囲】
【請求項１】
被処理水を取り込んで物理濾過を行う第１の物理濾過槽と、前記第１の物理的濾過槽の処理後の水を受け取って生物濾過を行う生物濾過槽とを有する濾過装置であって、
前記生物濾過槽は、濾材が封入された容器と、前記容器内を通過した処理後の水を取り出す排水口と、前記濾材を洗浄するために前記容器を回転駆動する駆動手段とを備え、
前記生物濾過槽の前記排水口には、前記生物濾過槽の処理後の水を受け取って物理濾過を行う第２の物理濾過槽が接続され、該第２の物理濾過槽は、前記生物濾過槽の通常濾過時も前記濾材洗浄時も常に前記容器内を通過した処理後の水を物理濾過することを特徴とする濾過装置。
【請求項２】
請求項１に記載の濾過装置において、前記第１の物理濾過槽から前記生物濾過槽への水の受け渡し、および、前記生物濾過槽から前記第２の物理濾過槽への水の受け渡しは、それぞれに設定された所定水位から水をオーバーフローさせることによって行われることを特徴とする濾過装置。
【請求項３】
請求項２に記載の濾過装置において、前記第２の物理濾過槽で処理後の水を蓄える水位保持槽を有し、
該水位保持槽は、蓄えている水を外部に送り出すポンプと、所定水位よりも蓄えている水の水位が低いかどうかを検出する検出部と、前記検出部が水位が低いことを検出した場合、外部からの水の供給管を開状態にする弁と、前記所定水位以上の水を外部に排出する排水口とを備えることを特徴とする濾過装置。
【請求項４】
請求項１ないし３のいずれか１項に記載の濾過装置において、前記第１の物理濾過槽は、被処理水の取り込み口と、輪状のフィルターと、所定水位以上の水のオーバーフローにより前記生物濾過槽に受け渡す排水口と、前記輪状のフィルターの一部を通過させながら洗浄する洗浄室とを有し、
前記輪状のフィルターは、前記所定の水位の水面下に一部が浸るように配置され、前記取り込み口は、前記水面下に浸ったフィルターの上部から被処理水を供給するように配置されていることを特徴とする濾過装置。
【請求項５】
請求項１ないし４に記載の濾過装置において、前記第１の物理濾過槽の被処理水の取り込み口の前には、稚魚が通り抜けできないネットを備えた稚魚受け槽が配置され、前記稚魚受け槽から前記第１の物理濾過槽への水の受け渡しは、所定水位から水をオーバーフローさせることによって行われることを特徴とする濾過装置。
【発明の詳細な説明】
【技術分野】
【０００１】
本発明は、水槽や池の水浄化装置に関し、特に濾材を用いた濾過装置に関する。
【背景技術】
【０００２】
水槽や池の水浄化装置として、物理濾過槽と生物濾過槽とを備え、池水を循環させて物理濾過と生物濾過を行って水槽や池に戻す装置が特許文献１に記載されている。この濾過装置には、物理濾過槽および生物濾過槽の濾材をそれぞれ自動洗浄する機構が備えられ、しかも洗浄汚水は水槽や池には戻さないように構成されている。
【特許文献１】特開２００３−１７００１０号公報
【発明の開示】
【発明が解決しようとする課題】
【０００３】
しかしながら、上記特許文献１の濾過装置は、生物濾過槽の濾材を洗浄する場合には、汚水を池に戻さないようにするため、通常運転時とは別の循環ルートで汚水を物理濾過槽に戻すように構成されている。このため、通常運転時から生物濾過槽の洗浄運転に切り換える際には、循環ルートの切り換え動作、洗浄運転時用のポンプの駆動等が必要である。これらは自動で行われるが、何らかの理由で切り換えがうまくいかないと、トラブルの原因になる可能性があった。また、特許文献１の濾過装置は、池水の水位を保持する機能を備えていないため、池水の水位を保持する装置を別途設けることが必須であった。
【０００４】
本発明の目的は、濾材の自動洗浄機能を備えた濾過装置であって、通常運転時と濾過槽の洗浄時とで循環ルートの変更がない濾過装置を提供することにある。
【課題を解決するための手段】
【０００５】
上記目的を達成するために、本発明の濾過装置は、被処理水を取り込んで物理濾過を行う第１の物理濾過槽と、第１の物理的濾過槽の処理後の水を受け取って生物濾過を行う生物濾過槽とを有する濾過装置であって、生物濾過槽は、濾材が封入された容器と、容器内を通過した処理後の水を取り出す排水口と、濾材を洗浄するために容器を回転駆動する駆動手段とを備え、濾材を自動洗浄する機能を有している。生物濾過槽には、生物濾過槽の処理後の水を受け取って物理濾過を行う第２の物理濾過槽が接続され、生物濾過槽の通常濾過時も濾材洗浄時も常に前記容器内を通過した処理後の水を物理濾過する。これにより、濾材の自動洗浄時に水の循環ルートを切り換える必要がないため、自動洗浄機能を備えながら単純な構成の濾過装置を提供することができる。
【０００６】
上記濾過装置において、第１の物理濾過槽から前記生物濾過槽への水の受け渡し、および、前記生物濾過槽から前記第２の物理濾過槽への水の受け渡しは、それぞれに設定された所定水位から水をオーバーフローさせることにより行うことができる。これにより、水の受け渡しにポンプが不要であるため、さらに単純な構成にすることができる。
【０００７】
また、第２の物理濾過槽の後には、処理後の水を蓄える水位保持槽を配置することができる。水位保持槽は、蓄えている水を外部に送り出すポンプと、所定水位よりも蓄えている水の水位が低いかどうかを検出する検出部と、検出部が水位が低いことを検出した場合、外部からの水の供給管を開状態にして水の供給をうける弁と、前記所定水位以上の水を外部に排出する排水口とを備える構成にすることができる。これにより、被処理水を蓄えた水槽や池の水位保持が可能になる。
【０００８】
また、第１の物理濾過槽は、被処理水の取り込み口と、輪状のフィルターと、所定水位以上の水のオーバーフローにより前記生物濾過槽に受け渡す排水口と、前記輪状のフィルターの一部を通過させながら洗浄する洗浄室とを有する構成にすることができる。輪状のフィルターは、所定の水位の水面下に一部が浸るように配置される。取り込み口は、水面下に浸ったフィルターの上部から被処理水を供給するように配置される。これにより、被処理水を水面に広げてフィルターを通過させることができるため、効率よく物理濾過が行える。
【０００９】
さらに、第１の物理濾過槽の被処理水の取り込み口の前には、稚魚が通り抜けできないネットを備えた稚魚受け槽を配置することができる。稚魚受け槽から第１の物理濾過槽への水の受け渡しは、所定水位から水をオーバーフローさせることによって行うことができる。
【発明を実施するための最良の形態】
【００１０】
本発明の一実施の形態による濾過装置について図面を用いて説明する。
【００１１】
本発明の濾過装置を適用した濾過システムについて、ブロック図を図１に、側面図および断面図を図２（ａ）、（ｂ）にそれぞれ示す。図１のブロック図からわかるように、本実施の形態の濾過装置は、物理濾過を行なう第１の物理濾過槽１０と、生物濾過を行なう生物濾過槽２０と、物理濾過を行う第２の物理濾過槽１１０と、水位保持槽１２０とを有している。これらは池や水槽（以下、単に水槽という）３０に蓄えられている被処理水を第１の物理濾過槽１０で濾過し、つぎに生物濾過槽２０で濾過し、さらに第２の物理濾過槽１１０で濾過した後、水位保持槽１２０に一旦蓄えてから水槽３０に戻すように接続されている。また、水槽３０と第１の物理濾過槽１０との間には、稚魚受け槽１３０が配置されている。各槽は、実際には、図２（ａ），（ｂ）のようにコンパクトに、かつ、水の循環を実現するように上下の位置関係を保って配置され、濾過装置を構成している。
【００１２】
被処理水を取り出すために、先端が水槽３０の底部に挿入された取水管３１は、稚魚受け槽１３０に接続されている。取水管３１は、水槽３０の底部から水位までの垂直部３１１と、それに続く水平部３１２とからなり、垂直部３１１と水平部３１２との境に通気穴３１３が形成されている。水平部３１２の高さは、水槽３０の維持すべき水位に一致するように設定され、水槽３０の水をオーバーフローさせることにより、稚魚受け槽１３０に取り込む。稚魚受け槽１３０の内部には、編み目の大きさが稚魚が通り抜けできない大きさのネットが張られたかご１３１が配置されており、取水管３１は、被処理水をかご１３１内に投入するように構成されている。これにより、水槽３０から取り込まれた被処理水に稚魚が含まれている場合であっても、かご１３１で稚魚を受けることができ、稚魚を第１の物理濾過槽１０に取り込むことを防止できる。稚魚受け槽１３０と第１の物理濾過槽１０は、配水管１１により接続され、稚魚受け槽１３０の所定水位以上の被処理水をオーバーフローにより第１の物理濾過槽１０へと取り込む。所定水位はかご１３１の高さよりも低く設定されているため、かご１３１を通過した水がオーバーフローにより第１の物理濾過槽１０に送られる。
【００１３】
第１の物理濾過槽１０の底部は受け皿１０ａになっており、受け皿１０ａ内には所定の高さに排水口１２が設けられている。排水口１２は、生物濾過槽２０の給水口２１に配管１２ａによって接続されている。生物濾過槽２０の排水口２２は、配管２２ａにより第２の物理濾過槽１１０の配水管１１１に連結されている。配水管２２ａの最上部の高さは、生物濾過槽２０の維持すべき水位に一致するように設定されており、被処理水は、オーバーフローにより第２の物理濾過槽１１０に取り込まれる。第２の物理濾過槽１１０の底部は、第１の物理濾過槽１０と同様に受け皿１１０ａになっており、所定の高さに排水口１１２が設けられている。排水口１１２は、水位保持槽１２０の給水口１２１に配管１１２ａによって接続されている。
【００１４】
水位保持槽１２０は、底部に排水口１２９を有し、配管１３０が接続されている。配管１３０の先端は水槽３０の上部に挿入されている。水位保持槽１２０の排水口１２９にはポンプ１２８が配置され、水位保持槽１２０に蓄えられている水を配管１３０を介して常に水槽３０まで揚水する。また、水位保持槽１２０内には、所定水位に配置されたフロートスイッチ１２２と、外部から水の補給を受ける補給管１２３が配置されている。補給管１２３には、水の補給を開始および停止させるための電磁弁１２４が備えられている。電磁弁１２４はフロートスイッチ１２２と接続されており、フロートスイッチ１２２よりも水面が下にある場合には、電磁弁１２４を開状態にして水を補給し、水面が所定水位に達したことをフロートスイッチ１２２が検出した場合には、電磁弁１２４を閉状態して水の補給を停止させる。これにより、水位保持槽１２０の水位を一定に保つ。また、水位保持槽１２０には、フロートスイッチ１２２の水位以上の水をオーバーフローにより外部に排出するための排水口１２６が備えられている。
【００１５】
このような構成であるため、第１の物理濾過槽１０、生物濾過槽２０、第２の物理濾過槽１１０により濾過された水は、水位保持槽１２０に流れ込み、ポンプ１２８によって揚水されて水槽３０に戻され、再び水槽３０をオーバーフローすることにより、第１の物理濾過槽１０に流れ込む。これにより、水槽３０の水を第１の物理濾過槽１０、生物濾過槽２０、第２の物理濾過槽１１０に常に循環させることができる。また、水位保持槽１２０の水位は、水槽３０の水位と連動するため、水位保持槽１２０の水位を一定に保つことにより、水槽３０の水位を一定に保つことができる。すなわち、水の蒸発等により水槽３０の水位が下がると、オーバーフローが生じなくなるため、第１の物理濾過槽１０へ被処理水が取り込まれなくなり、水位保持槽１２０の水位も下がる。水位保持槽１２０のフロートスイッチ１２２は水面の低下を検出し、電磁弁１２４を開にする。これにより、再び水槽３０にオーバーフローが生じるまで、水位保持槽１２０には水が補給される。一方、雨等により水槽３０の水位が上がると、水槽の所定水位以上の水はオーバーフローにより第１の物理濾過槽１０に流れ込むため水位保持槽１２０の水位が上昇し、水位保持槽１２０の所定水位以上に流れ込んだ水は排水口１２６から外部に排出される。よって、水位保持槽１２０の水位を一定に保つことにより、水槽３０の水位を一定に保つことができる。
【００１６】
つぎに、第１の物理濾過槽１０の詳細な構成及び動作を説明する。
第１の物理濾過槽１０の内部には、図３に示すように、ウールマット等からなるフィルター４０と、フィルター４０を洗浄するための洗浄ボックス６０と、槽内の水位を検知するために所定の高さに配置された水位センサー１３と、フィルター４０を移動させるためのコンベア装置とが配置されている。コンベア装置は、適当な距離を置いて配置された一対のローラ５１、５２と、ローラ５１、５２に巻回されたエンドレスのチェーンコンベア５３と、ローラ５１を回転させるためのモータ５４とを備えている。フィルター４０は輪状になっており、両縁部がチェーンコンベア５３に搭載され、ローラ５１とローラ５２間に巻回されている。
【００１７】
フィルター４０は、モータ５４がローラ５１を回転させることにより搬送される。これにより、フィルター４０の目詰まりした部分を洗浄ボックス６０まで移動させて洗浄することができる。フィルター４０の移動量を検出するために、ローラ５２の外周に一組のリミットスイッチ（マイクロスイッチ）５５ａ、５５ｂが並べて固定されている。リミットスイッチ５５ａ、５５ｂは、それぞれチェーンコンベア５３の移動量を検出することによりフィルター４０の搬送量を検出する。リミットスイッチ５５ａの出力は、制御回路１６１に入力され、モータ５４の回転速度を調節するタイミング信号として用いられる。他方のリミットスイッチ５５ｂの出力は、制御回路１６２に入力され、洗浄ボックス６０への洗浄水の給水の開始および停止の制御に用いられる。
【００１８】
第１の物理濾過槽１０に被処理水の給水を行う配水管１１は、ローラ５１とローラ５２の下部に張られたフィルター４０の上に被処理水を落下するように配置されている。通常時（フィルター４０が目詰まりしていない場合）の水位は、受け皿１０ａに設けられた排水口１２の高さであり、フィルター４０の下部が、水位より下側（濾過位置）に位置するように構成されている。これにより、水位より下に位置するフィルター４０全体を利用して、効率よく被処理水を物理濾過することができる。濾過された被処理水は、受け皿１０ａの排水口１２から排出される。
【００１９】
フィルター４０の目詰まりは、水位の上昇を水位センサー１３が検出することにより検知する。水位センサー１３の検出信号を受け取った制御回路１６１は、モータ５４に信号を出力してローラ５１を回転させ、水面下（濾過位置）にあるフィルター４０を洗浄ボックス６０まで搬送する。
【００２０】
洗浄ボックス６０は、内部にチェーンコンベア５３とフィルター４０とを通過させるために、開口６５，６６を前面及び後面に設けた箱体である。洗浄ボックス６０は、一組のローラ５１、５２間の上部のフィルター４０を通過させる位置に配置されている。開口６５、６６の縁部には、ゴム布（不図示）が固定されており、内部の水が外側に漏れるのを防止している。
【００２１】
また洗浄ボックス６０の上部及び下部には、洗浄ボックス６０を通過しているフィルター４０に対して上下から洗浄水を供給するための配管６１、６２が接続され、さらに洗浄後の水を排出するための排水口６３が設けられている。配管６１、６２は、例えば２〜３ｋ圧の高圧水を供給する供給系に電磁弁６４を介して接続されている。配管６１，６２の先端には水を噴射するためのノズルが接続されている。電磁弁６４は、リミットスイッチ５５ｂの信号に応じて、制御回路１６２によって開閉が制御される。
【００２２】
このような構成の第１の物理濾過槽１０の動作を図４のフローチャートを参照して説明する。通常の濾過動作時には、水位は排水口１２の先端の高さにあり、水面下にあるフィルター４０部分が濾過部として使用される。すなわち、水槽３０をオーバーフローした被処理水は、稚魚受け槽１３０を通過して第１の物理濾過槽１０に入り、稚魚を受けるかご１３１を通過し、配水管１１から第１物理濾過槽１０のフィルター４０上に落下する。水面下に位置するフィルター４０全体が濾過部として作用し、被処理水は広い面積のフィルター４０で効率よく物理濾過され、排水口１２から生物濾過槽２０に受け渡される（ステップ５０１）。
【００２３】
濾過処理を継続することによって、水面下に位置するフィルター４０が目詰まりすると、被処理水がフィルター４０を通過できないため、濾過槽１０の水位が上がり、水位が水位センサー１３の位置まで達したことを検出する（ステップ５０２）。水位センサー１３の信号を受けた制御回路１６１は、モータ５４を一定時間、予め定めた高速で駆動し（ステップ５０３）、水面下にあったフィルター部分（濾過部）を洗浄ボックス６０まで搬送する。
【００２４】
フィルター４０の濾過部先端が洗浄ボックス６０に達する搬送量だけフィルター４０が移動したことをリミットスイッチ５５ａ、５５ｂがＯＮになることにより検出したならば、リミットスイッチ５５ｂがオンになった信号を受けて、制御回路１６２は、電磁弁６４を開き、高圧水を配管６１、６２を介して洗浄ボックス６０に供給する（ステップ５０４、５０５）。これにより、上下のノズルから洗浄水をフィルター４０に対して噴射し、フィルター４０の汚れを洗い流す。同時に制御回路１６１は、リミットスイッチ５５ａがオンになった信号を受けて、モータ５４を低速回転に切り替え、フィルター４０の濾過部を洗浄ボックス６０内でゆっくり搬送する。これにより、フィルター４０をゆっくり搬送しながら洗浄する。洗浄後の汚水は、洗浄ボックス６０の排水口６３を介して濾過槽１０の外部に排出されるため、第１の物理的濾過槽１０内の被処理水と洗浄汚水が混じり合うことはない。
【００２５】
フィルター４０の濾過部の後端が洗浄ボックス６０を通過し終わる搬送量だけフィルター４０が移動したことをリミットスイッチ５５ａ、５５ｂがオフになることにより検出したならば（ステップ５０６）、制御回路１６２は、電磁弁６４を閉じ、洗浄動作を終了させる。同時に、制御回路１６１は、モータ５４を高速回転に切り替え、一定時間回転させ、フィルター４０の濾過部を元の位置（水面下）に搬送する（ステップ５０７）。
【００２６】
このような洗浄の回数ｉを計数し（ステップ５０８、５０９）、所定の回数（ｎ回）に達するとユーザにフィルター４０の位置を変え、異なる部位を濾過部として用いるように促す表示等をする（ステップ５１０）。ユーザは、その表示等を見て、輪状のフィルター４０を回転させ、チェーンコンベア５３に対してその位置をずらす。これにより、輪状のフィルター４０で濾過部として水面下に位置する部位を容易に異なる部位に変えることができ、フィルター交換を容易に行うことができる。
【００２７】
輪状のフィルター４０は濾過部の２倍以上の面積があるため、このように部位を変えて使用することにより、フィルター全体を交換する回数を減らすことができる。よって、メンテナンスが容易であり、耐用年数を延ばすことができる。
【００２８】
また、輪状のフィルター４０を用いているため、上記ステップ５０１〜５１０の洗浄動作の途中であっても、洗浄している部位とは別の部位のフィルター４０が常に水面下の濾過位置に存在するため、フィルター洗浄中であっても被処理水の物理濾過を継続することができるというメリットもある。
【００２９】
また、フィルター４０の濾過部は、水面下に位置するように構成されているため、広い面積のフィルター４０を濾過部として使用することができ、濾過を効率よく行うことができるとともに、フィルター４０の目詰まりが生じにくい。
【００３０】
また、本実施の形態では、一組のリミットスイッチ５５ａ，５５ｂを配置し、制御回路１６１ではリミットスイッチ５５ａの検出信号を用い、制御回路１６２ではリミットスイッチ５５ｂの検出信号を用いている。これにより、１つのリミットスイッチの信号を用いる場合と比較して、誤動作を減らすことができる。
【００３１】
次に生物濾過槽２０の構成及び動作を説明する。
生物濾過槽２０の内部には、濾材を収納した回転式のドラム２５が配置されている。ドラム２５の外周表面には、被処理水を取り込むための多数の孔が形成されている。ドラム２５の中心には、処理後の水を取り出すために、表面に多数の穴が開けられたパイプ２６が挿入されている。パイプ２６の端部は排水口２２となっており、処理後の水を配管２２ａにより第２の物理濾過槽１１０に受け渡す。濾材は、ドラムの内周面とパイプ外周面とで囲まれた空間に充填されている。濾材としては、表面にバクテリア等の微生物を担持したセラミックス粒、小石等が用いることができる。被処理水は、ドラム２５の濾材間を通過してパイプ２６に流れ込む間に生物的に濾過される。
【００３２】
濾材の量は、図５にドラム２５の断面図を示したように、ドラム２５の容量より少ない量、例えばドラム容量の２／３〜３／４程度に設定されている。これにより、ドラム２５の一端に接続されたモータ２７でドラム２５を回転させることで濾材同士がこすれ合い、濾材洗浄を行うことができる。
【００３３】
次に生物濾過槽２０の動作を図６を参照して説明する。
通常の濾過処理時には（ステップ８０１）、ドラム２５は静止しており、第１の物理濾過槽１０から受け入れた被処理水はドラム２５を通ることにより、濾材表面のバクテリア等によって濾過され、パイプ２６を通って、第２の物理濾過槽１１０へ受け渡される。濾過を長期に行なうことにより濾材が汚れてくると（ステップ８０２）、不図示の制御部は、モータ２７を駆動し、ドラム２５を回転させる（ステップ８０３）。このドラム２５の回転により、ドラム２５内に充填された濾材が攪拌され、濾材同士がこすれ合って濾材表面に付着したゴミや水垢がはがれ落ちる。濾材表面から取れたゴミや水垢を含む水がパイプ２６内に入り込み、第２の物理濾過槽１０へ受け渡される。
【００３４】
このような洗浄処理を一定時間行った後（ステップ８０４）、ドラム２５の回転を停止し（ステップ８０５）、濾過処理に戻る（ステップ８０１）。濾材洗浄処理が所定回数ｍ以上になった場合には、濾材を交換するようユーザに促す表示等を行う（ステップ８０６、８０７）。
【００３５】
濾材の洗浄タイミングがきたかどうかの判断は、ステップ８０２で予め決めた間隔で定期的に行なうようにすることも可能であるが、第１の物理濾過槽１０の図４のフローと連携させ、第１の物理濾過槽１０のフィルター洗浄回数が、例えば３回行なわれたことを図４のステップ５０８で計数したならば、図６のステップ８０３によりドラム２５を回転駆動するようにすることが好ましい。これにより汚れの度合いに応じて必要な洗浄頻度で自動的に洗浄を行なうことができる。
【００３６】
第２の物理濾過槽１１０は、第１の物理濾過槽１０と同様の構成および動作であるので、詳しい説明は省略するが、生物濾過槽２０の排水を通常濾過時も濾材洗浄時も常に受け入れてフィルター４０で濾過することにより、生物濾過槽２０の排水に含まれる濾材表面のゴミや水垢を取り除くことができる。
【００３７】
第２の物理濾過槽１１０を通過することにより、水の濾過処理は終了し、水位保持槽１２０に蓄えられ、水槽３０の水位を一定に保つように調整されながら、ポンプ１２８により水槽３０に戻される。
【００３８】
本実施の形態の濾過装置は、物理濾過および生物濾過の２種類の濾過を行うことができる濾過装置であって、それぞれの濾材の自動洗浄機能を備えながら、濾材洗浄時であっても被処理水の循環ルートの切り換えが必要無く、ポンプを１台使用するのみで（ポンプ１２８）、それ以外は全てオーバーフローによって被処理水を受け渡し、循環させることができる単純な構成を実現している。しかも、被処理水の処理を停止させる必要もない。これにより、２種類の濾材の自動洗浄機能を備えながら、単純かつ濾過能力の高い濾過装置を提供することができる。また、濾材交換の頻度が少なくメンテナンスが容易であるとともに、洗浄のポンプが１台のみでよいため、故障も生じにくい。
【００３９】
また、水位保持槽１２０を備え、外部から不足分だけ水を取り込み水位保持槽１２０の水位を一定に保つことにより、水槽３０の水位を一定に維持することができる。この方法は、水槽３０に常時水を供給し、余分をオーバーフローで溢れさせ、水位を一定に保つ方法と比較し、格段に水の無駄が少ない。よって、本実施の形態の濾過装置を用いることにより、別途水位保持装置を備えることなく、節水しながら水位の保持ができるという効果も得られる。また、水位不足でポンプ１２８が空回りする現象も防止できる。
【００４０】
さらに、水槽３０の稚魚を稚魚受け槽１３０で受け止めることができるため、産卵期には稚魚受けかご１３１を定期的に点検して、稚魚を取り出し、水槽３０に戻すことができる。産卵期以外の時期は、稚魚受けかご１３１を取り外しておく事も可能である。
【図面の簡単な説明】
【００４１】
【図１】本実施の形態の濾過装置の全体構成を示すブロック図。
【図２】本実施の形態の濾過装置の（ａ）側面図、（ｂ）断面図。
【図３】本実施の形態の濾過装置の第１の物理濾過槽１０の内部構造を示す説明図。
【図４】本実施の形態の濾過装置の第１の物理濾過槽１０の動作を示すフローチャート。
【図５】本実施の形態の濾過装置の生物濾過槽２５の断面図。
【図６】本実施の形態の濾過装置の生物濾過槽２０の動作を示すフローチャート。
【符号の説明】
【００４２】
１０・・・第１の物理濾過槽、１１・・・配水管、１３・・・水位センサー、２０・・・生物濾過槽、２５・・・ドラム、２６・・・パイプ、３０・・・水槽、３１・・・取水管、４０・・・フィルター、５１、５２・・・ローラ、５４・・・モータ、５５ａ，５５ｂ・・・リミットスイッチ、６０・・・洗浄室、６４・・・電磁弁、１１０・・・第２の物理濾過槽、１２０・・・水位保持槽、１２８・・・ポンプ、１３０・・・稚魚受け槽、１３１・・・稚魚受けかご。
【図１】
2006026594.tif 000003
【図２】
2006026594.tif 000004
【図３】
2006026594.tif 000005
【図４】
2006026594.tif 000006
【図５】
2006026594.tif 000007
【図６】
2006026594.tif 000008
【手続補正書】
【提出日】平成16年8月11日(2004.8.11)
【手続補正１】
【補正対象書類名】明細書
【補正対象項目名】００３８
【補正方法】変更
【補正の内容】
【００３８】
本実施の形態の濾過装置は、物理濾過および生物濾過の２種類の濾過を行うことができる濾過装置であって、それぞれの濾材の自動洗浄機能を備えながら、濾材洗浄時であっても被処理水の循環ルートの切り換えが必要無く、ポンプを１台使用するのみで（ポンプ１２８）、それ以外は全てオーバーフローによって被処理水を受け渡し、循環させることができる単純な構成を実現している。しかも、被処理水の処理を停止させる必要もない。これにより、２種類の濾材の自動洗浄機能を備えながら、単純かつ濾過能力の高い濾過装置を提供することができる。また、濾材交換の頻度が少なくメンテナンスが容易であるとともに、ポンプが１台のみでよいため、故障も生じにくい。